(57)【要約】【課題】簡単に趣向のある貼り絵を制作できるようにすること。【解決手段】貼り絵用台紙印刷システム１は、貼り絵の元となる原画像に対し、細かい形状が描かれた部分を緩やかな輪郭に変換するぼかし処理、画像の明度変化を強調するハイコントラスト化処理、および、画像に含まれる各画素の色を所定の収束色に変換するポスタライズ処理を含む台紙画像生成処理を施し、それにより生じた台紙用画像を台紙に印刷して貼り絵用台紙とする。そのため、原画像の特徴に適合する台紙用画像を生成することができると共に、フェルト片を容易に貼りつけることが可能な貼り絵用台紙とすることができる。したがって、簡単に趣向のある貼り絵を制作することができるようになる。【選択図】  図１
2009006602.tif 000002
【特許請求の範囲】
【請求項１】
貼り絵を形成するための貼付片とそれを貼付する台紙とを含む貼り絵キットであって、
所定形状および色で異なる大きさとした複数色の貼付片を含む貼付片セットと、
前記貼付片の形態に対応する特徴が付与された画像が描画されている貼り絵用台紙と、
を含むことを特徴とする貼り絵キット。
【請求項２】
前記貼り絵用台紙には、前記貼付片の形状および大きさに合わせた領域、および、前記貼付片として用意された色に合わせた描画色の少なくともいずれかに対応する特徴が付与された画像が描画されていることを特徴とする請求項１記載の貼り絵キット。
【請求項３】
前記貼付片は、円形のフェルト片によって構成されていることを特徴とする請求項１または２記載の貼り絵キット。
【請求項４】
貼り絵用の画像を台紙に印刷する貼り絵用台紙印刷システムであって、
台紙に印刷する画像の元となる原画像を取得する原画像取得手段と、
前記原画像取得手段によって取得された原画像に対し、前記台紙に貼付される貼付片の形態に対応する特徴を付与し、台紙用画像を生成する画像処理手段と、
前記画像処理手段によって生成された前記台紙用画像を印刷する印刷手段と、
を含むことを特徴とする貼り絵用台紙印刷システム。
【請求項５】
前記画像処理手段は、前記原画像に対し、各部分における画像の平坦度合いに応じたぼかし処理を施すことを特徴とする請求項４記載の貼り絵用台紙印刷システム。
【請求項６】
前記画像処理手段は、前記原画像に対し、各部分における画像の平坦度合いに応じた半径で円形にぼかすぼかし処理を施すことを特徴とする請求項５記載の貼り絵用台紙印刷システム。
【請求項７】
前記画像処理手段は、画像の明暗を強調するハイコントラスト化処理を施して前記台紙用画像を生成することを特徴とする請求項４から６のいずれか１項に記載の貼り絵用台紙印刷システム。
【請求項８】
前記画像処理手段は、画像に使用されている色を所定の収束色に収束させ、階調を低減するポスタライズ処理を施して前記台紙用画像を生成することを特徴とする請求項４から７のいずれか１項に記載の貼り絵用台紙印刷システム。
【請求項９】
前記画像処理手段は、画像に使用されている色の度数を計測し、その度数を基に、前記ポスタライズ処理における前記収束色を決定することを特徴とする請求項８記載の貼り絵用台紙印刷システム。
【請求項１０】
画像に使用されている色の種類を含む色特性を抽出する色特性解析手段と、
前記色特性解析手段によって抽出された色特性に基づいて、その台紙用画像に対応する前記貼付片を選択する際の色についての参照情報を提示する貼付片色提示手段と、
をさらに備えることを特徴とする請求項４から９のいずれか１項に記載の貼り絵用台紙印刷システム。
【請求項１１】
貼り絵用の画像を生成するための貼り絵用台紙画像生成プログラムであって、
台紙に印刷する画像の元となる原画像を取得させる原画像取得機能と、
前記原画像取得機能によって取得された原画像に対し、前記台紙に貼付される貼付片の形態に対応する特徴を付与し、台紙用画像を生成させる画像処理機能と、
をコンピュータに実現させることを特徴とする貼り絵用台紙画像生成プログラム。
【発明の詳細な説明】
【技術分野】
【０００１】
本発明は、貼付片を貼り付けて絵を描くための貼り絵キット、その貼り絵に用いる台紙を印刷するための貼り絵用台紙印刷システムおよび貼り絵用台紙画像生成プログラムに関する。
【背景技術】
【０００２】
従来、着色された貼付片を貼り付けて、台紙上に絵を描く貼り絵が知られている。
このような貼り絵を制作する場合、制作者は、台紙上の各位置に貼付する色を決め、その色が付いた和紙等を意図する大きさおよび形にちぎる。そして、ちぎった貼付片の形に応じて貼付する向き等を決めた上で、貼付片を台紙上の目的とする位置に貼り付ける。
このような手順により、用意された貼付用の和紙等をうまく利用して、色使いやタッチを整えつつ、制作者の感性と技術に応じた趣向のある貼り絵を描くことができる。
【０００３】
なお、上述のような手法は、貼り絵を制作する伝統的な手法であるが、貼り絵をより簡単に制作するための方法が提案されている。
例えば、特許文献１に記載された貼り絵の制作方法は、制作者が描きたいパターンに両面接着テープを切り取り、その両面接着テープに和紙を貼り付けて、両面接着テープの形状に沿って和紙をちぎった上、台紙に貼り付けるというものである。
【特許文献１】特開平６−０９２０９８号公報
【発明の開示】
【発明が解決しようとする課題】
【０００４】
しかしながら、上述の伝統的な貼り絵の制作手法においては、貼付するための和紙を適切な形や大きさにちぎることが容易ではなく、また、ちぎった和紙を描きたい絵に適する位置や向きに貼付することも熟練を要する。
なお、特許文献１に記載された方法のように、描きたいパターンに両面接着テープを切り取り、これに和紙を貼り付けて、両面接着テープの形に沿って和紙をちぎることとすると、そのパターンは１枚の和紙によって構成されることとなる。すると、貼付片が集合して１つのパターンが描かれるという貼り絵の趣向の１つが失われる可能性がある。
このように、貼り絵を制作する従来の手法においては、簡単に趣向のある貼り絵を制作することが困難であった。
本発明の課題は、簡単に趣向のある貼り絵を制作できるようにすることである。
【課題を解決するための手段】
【０００５】
以上の課題を解決するため、本発明に係る貼り絵キットは、
貼り絵を形成するための貼付片とそれを貼付する台紙とを含む貼り絵キットであって、所定形状および色で異なる大きさとした複数色の貼付片を含む貼付片セット（例えば、図２の貼付用フェルト片セット１０２）と、前記貼付片の形態に対応する特徴が付与された画像が描画されている貼り絵用台紙（例えば、図２の貼り絵用台紙１０１）とを含むことを特徴としている。
【０００６】
また、本発明に係る貼り絵用台紙印刷システムは、
貼り絵用の画像を台紙に印刷する貼り絵用台紙印刷システムであって、台紙に印刷する画像の元となる原画像を取得する原画像取得手段（例えば、図１の画像入力装置１０および図４の台紙画像生成処理におけるステップＳ１，Ｓ２を実行するＣＰＵ１０）と、前記原画像取得手段によって取得された原画像に対し、前記台紙に貼付される貼付片の形態に対応する特徴を付与し、台紙用画像を生成する画像処理手段（例えば、図４の台紙画像生成処理におけるステップＳ３からステップＳ６を実行するＣＰＵ２２）と、前記画像処理手段によって生成された前記台紙用画像を印刷する印刷手段（例えば、図１の印刷装置３０）とを含むことを特徴としている。
【０００７】
また、本発明に係る貼り絵用台紙画像生成プログラムは、
貼り絵用の画像を生成するための貼り絵用台紙画像生成プログラムであって、台紙に印刷する画像の元となる原画像を取得させる原画像取得機能と、前記原画像取得機能によって取得された原画像に対し、前記台紙に貼付される貼付片の形態に対応する特徴を付与し、台紙用画像を生成させる画像処理機能とをコンピュータに実現させることを特徴としている。
【発明の効果】
【０００８】
本発明によれば、台紙に貼付される貼付片の形態に対応する特徴を付与した台紙用画像を台紙上に付して、貼り絵用台紙が構成される。
そのため、貼り絵の元となる原画像の特徴に適合しつつ、貼り絵の制作者が貼付片を容易に貼りつけることが可能な台紙用画像が付された貼り絵用台紙とすることができる。
したがって、簡単に趣向のある貼り絵を制作することが可能となる。
【発明を実施するための最良の形態】
【０００９】
以下、図を参照して本発明に係る貼り絵用台紙印刷システムおよび貼り絵キットの実施の形態を説明する。
本実施形態に係る貼り絵キットにおいては、所定形状（例えば丸型）に予め成形された貼付片が、複数種類の大きさ（例えば、大中小の３種類）および色で用意されている。そして、貼り絵用台紙印刷システムによって印刷された台紙に、制作者が、色および大きさを選択して貼付片を貼付する。このとき、貼り絵用台紙印刷システムによって印刷される台紙の画像は、用意された貼付片と対応する特徴が表れるよう画像処理されている。そのため、制作者は、貼付片を台紙に貼付する作業を容易に行うことができるものである。
【００１０】
（構成）
まず、構成を説明する。
図１は、本実施形態に係る貼り絵用台紙印刷システム１の全体構成を示す図である。
また、図２は、貼り絵用台紙印刷システム１によって印刷された台紙を含む貼り絵キット１００の構成を示す図である。
図１において、貼り絵用台紙印刷システム１は、画像入力装置１０と、ＰＣ（Personal Computer）２０と、印刷装置３０とを含んで構成され、ＰＣ２０と、画像入力装置１０および印刷装置３０とは、ネットワークあるいはケーブルを介してデータの送受信が可能に構成されている。
【００１１】
画像入力装置１０は、例えば、スキャナ、デジタルカメラあるいは画像データを蓄積するデータベース等、画像データを取得あるいは蓄積する装置であり、ＰＣ２０に画像データを提供する。
なお、以下の説明においては、画像入力装置１０がデジタルカメラであるものとして説明する。
ＰＣ２０は、画像入力装置１０から入力された画像データに対し、後述する台紙画像生成処理を施し、その結果である台紙用画像データを印刷装置３０に出力する。
【００１２】
図３は、ＰＣ２０の機能構成を示すブロック図である。
図３において、ＰＣ２０は、入力装置２１と、ＣＰＵ（Central Processing Unit）２２と、メモリ２３と、記憶装置２４と、ディスプレイ２５と、通信インターフェース２６とを備えている。
入力装置２１は、キーボードやマウス等、データおよび指示の入力を行うデバイスを含み、ＰＣ２０のユーザによって入力されたデータあるいは指示をＣＰＵ２２に出力する。
【００１３】
ＣＰＵ２２は、ＰＣ２０全体を制御するものであり、オペレーティングシステムプログラムや各種アプリケーションプログラムを実行することにより、それらのプログラムに対応する動作を行う。例えば、ＣＰＵ２１は、入力装置２１を介して台紙画像生成処理の実行指示が入力されると、記憶装置２４に記憶された台紙画像生成処理プログラムを読み出して、台紙画像生成処理を実行する。
メモリ２３は、ＰＣ２０において各種処理が実行される際に取り扱われるデータを一時的に記憶する。例えば、メモリ２３は、台紙画像生成処理が実行される際に、画像入力装置１０から入力された原画像を一時的に記憶したり、台紙画像生成処理において生成される処理過程あるいは処理結果の画像を一時的に記憶したりする。
【００１４】
記憶装置２４は、ハードディスク装置あるいはフラッシュメモリ等の不揮発性の記憶装置によって構成され、ＰＣ２０を制御する各種プログラムや、画像入力装置１０から入力された画像データあるいは台紙画像生成処理によって生成された台紙用画像データ等の各種データを記憶する。
ディスプレイ２５は、ＣＰＵ２２の指示に従って、各種処理におけるユーザインターフェース画面や、画像入力装置１０から入力された画像あるいは台紙用画像等を表示する。
【００１５】
通信インターフェース２６は、ＰＣ２０がネットワークやケーブルを介して他の機器とデータを送受信するための通信処理を行う。
印刷装置３０は、昇華型プリンタやレーザプリンタ等の印刷装置によって構成され、ＰＣ２０から入力された台紙用画像データを、指定されたサイズの用紙（貼り絵用台紙）に印刷する。
【００１６】
次いで、貼り絵キット１００の構成について説明する。
図２において、貼り絵キット１００は、貼り絵用台紙１０１と、貼付用フェルト片セット１０２と、原画像サンプル１０３とを含んで構成される。
貼り絵用台紙１０１は、ＰＣ２０によって台紙用画像が印刷された貼り絵用台紙であり、台紙画像生成処理の結果として取得される「ぼかし画像」、「ハイコントラスト画像」、「ポスタライズ画像」（後述）等のいずれかが印刷されている。
【００１７】
貼付用フェルト片セット１０２は、貼り絵キット１００における貼付片としてのフェルト片がセットとして構成されたものである。
貼付用フェルト片セット１０２は、所定の大きさ、形、色のフェルト片を、裏面に粘着シール剤を付してシール台紙に貼り付けた状態で提供される。
本実施形態において、貼付用フェルト片セット１０２は、小、中、大の３種類の円形としたフェルト片を、赤、紫、青、黄、緑、茶、白、灰色、黒の９種類用意して構成するものとし、各フェルト片は、台紙用画像を描くために十分な数を含めるものとする。
【００１８】
ここで、本実施形態においては、貼付片をフェルトによって構成するものとしているが、貼付片の材料は、和紙、布、セロファン等、台紙に貼り付けることができるものであれば種々のものを採用可能である。
また、貼付片の大きさについても、本実施形態においては、小、中、大の３種類とするが、小さいものから大きいものまで、４種類以上、あるいは、３種類未満とすることができ、貼付片の形についても、円形とすることの他、８角形や菱形等、貼付して絵を描くことができれば、他の形とすることができる。
【００１９】
さらに、用意する貼付片の色は、設定する貼り絵の階調に合わせて、より多くの種類とすることができ、反対に、白と黒の２階調等、少ない種類とすることもできる。
なお、用意する貼付片の色は、台紙用画像の元となる画像（原画像）あるいは生成した台紙用画像の色調に合わせて選択することができる。
例えば、画像に含まれる全画素について、色（ＲＧＢ値）を取得し、使用されている色の度数分布を参考に、使用色をグループ化し、そのグループの代表色を貼付片の色として選択することで、画像の色調に合わせた色の貼付片を用意することができる。
【００２０】
また、用意する貼付片の色が変更できない場合には、用意された貼付片の色と対応するように、台紙用画像の色調を変更することも可能である。
原画像サンプル１０３は、台紙用画像の元となった画像データを台紙に印刷したものであり、フェルト片を貼付する際に、制作者の参考として用いることができる。
【００２１】
（動作）
次に、動作を説明する。
図４は、ＰＣ２０において実行される台紙画像生成処理を示すフローチャートである。
台紙画像生成処理は、入力装置２１から、ＰＣ２０のユーザが処理の実行を指示入力することによって開始される。
図４において、台紙画像生成処理が開始されると、ＣＰＵ２２は、台紙用画像の元とする原画像の指定を受け付ける原画像指定画面を表示する（ステップＳ１）。
【００２２】
このとき、ＣＰＵ２２は、画像入力装置１０（ここではデジタルカメラ）から取得可能な画像の一覧をサムネイル画像として表示し、このサムネイル画像の指定を原画像の指定として受け付ける
そして、原画像指定画面において、ＰＣ２０のユーザにより原画像が指定されると、ＣＰＵ２２は、指定された画像をメモリ２３に読み込む（ステップＳ２）。
【００２３】
なお、ステップＳ２において読み込まれた原画像は、メモリ２３に保持される。
図５は、原画像の一例を示す図である。
図５に示す原画像においては、背景となる空が画像最上部に描かれており、その手前（画像上では空の下部）に高い山、その手前（画像上では高い山の下部）に低い山、その手前（画像上では低い山の下部）に目前にある丘、その手前（画像上では最下部）に柵とコンクリートの壁が描かれている。
【００２４】
次に、ＣＰＵ２２は、台紙用画像を生成する際に用いる画像処理パラメータの設定を受け付けるパラメータ設定画面を表示する（ステップＳ３）。
このパラメータ設定画面では、後述する各ステップにおいて用いる「ぼかしの強さ」、「コントラストの強調度合い」、「ポスタライズ時の色の階調数」等が設定される。
続いて、ＣＰＵ２２は、設定されている「ぼかしの強さ」に応じて、画像のぼかし処理を実行する（ステップＳ４）。
【００２５】
画像のぼかし処理は、例えば、画像全体にローパスフィルタを施す処理とすることができ、このとき、設定されている「ぼかしの強さ」が強いほど、ローパスフィルタ処理において画素を平均化する範囲が広く設定される。このように画像をぼかすことにより、画像の変化が大きい部分（細かい形状が描かれている部分）を平滑化して、円形のフェルト片を貼り付けやすい画像に変換することができる。
【００２６】
なお、ステップＳ４において取得された画像（以下、「ぼかし画像」という。）は、メモリ２３に保持される。
図６は、ぼかし画像の一例を示す図である。
図６において、原画像がぼかし画像に変換されると、図５の状態に比べ、細かい形状が描かれた部分（例えば目前にある丘に生えている低木等）が緩やかな輪郭に変化し、円形のフェルト片を貼り付け易い形となっている。
【００２７】
次に、ＣＰＵ２２は、設定されている「コントラストの強調度合い」に応じて、画像のハイコントラスト化処理を実行する（ステップＳ５）。
画像のハイコントラスト化処理は、画像全体の明るさの中間値と各画素の明るさとの差を増幅するものであり、設定されている「コントラストの強調度合い」が大きいほど、各画素の明るさと、画像全体の明るさの中間値との差を増幅する比率が大きく設定される。
【００２８】
このように画像をハイコントラスト化することにより、画像のぼかし処理によって画像の形状と共に平滑化された「明るさ」について、画像の明度変化が抑制された部分を再度強調して、貼り絵の制作者に判別し易くすることができる。
なお、ステップＳ５において取得された画像（以下、「ハイコントラスト画像」という。）は、メモリ２３に保持される。
【００２９】
図７は、ハイコントラスト画像の一例を示す図である。
図７において、ぼかし画像がハイコントラスト画像に変換されると、図６の状態に比べ、似た色が隣接する部分（例えば目前にある丘とその背後にある低い山との境界）がより明確になっている。
次いで、ＣＰＵ２２は、設定されている「ポスタライズ時の色の階調数」に応じて、画像のポスタライズ処理を実行する（ステップＳ６）。
【００３０】
画像のポスタライズ処理は、画像に含まれる各画素の色を、離散的な特定の色（以下、適宜「収束色」という。）に変換する処理である。
ポスタライズ処理の具体的手法としては、例えば、画素の色信号におけるＲ値，Ｇ値，Ｂ値それぞれに所定段数（例えば３段階）の値を設定し、画像に含まれる画素のＲ値，Ｇ値，Ｂ値を、設定されている段数のうち最も近い値に変換することが考えられる。Ｒ値，Ｇ値，Ｂ値それぞれに３段階の値を設定した場合、表現される色（収束色）は２７色となる。
【００３１】
また、他の手法としては、色環における離散的な位置に収束色を指定しておき、画像に含まれる各画素を、最も近い収束色に変換することが考えられる。
ここで、収束色は、予め特定の色を指定しておくことに加え、ＣＰＵ２２によって処理対象の画像に含まれる画素の色（ＲＧＢ値）を計数し、その度数分布を基に、使用されている色を所定数のグループに分け、そのグループの代表色（例えば最も頻度が高い色）を収束色として指定することが可能である。
【００３２】
このように収束色を指定することで、原画像の色調に適合する色で台紙用画像を描くことができる。
なお、ステップＳ６において取得された画像（以下、「ポスタライズ画像」という。）は、メモリ２３に保持される。
【００３３】
図８は、ポスタライズ画像の一例を示す図である。
図８において、ハイコントラスト画像がポスタライズ画像に変換されると、図７の状態に比べ、色彩が緩やかに変化する部分（例えば低い山の山はだ部分等）が低階調化されることにより色が単純化され、色をより簡単に判断できるものとなっている。
ステップＳ４からステップＳ６においてメモリ２３に保持された各画像は、台紙用画像として、後に印刷の対象とされる。
【００３４】
次に、ＣＰＵ２２は、メモリ２３に保持されている原画像、ぼかし画像、ハイコントラスト画像およびポスタライズ画像について、画像の色特性を解析する処理（以下、「色特性解析処理」という。）を実行する（ステップＳ７）。
色特性解析処理では、各画像に使用されている色の種類（例えば色信号であるＲＧＢ値の種類）と、その使用量（度数）とが抽出される。
ステップＳ７においては、このとき抽出された色の種類と、その色の使用量とが、貼り絵用台紙１０１に同梱するフェルト片の色および数を選択する際の参照情報として表示される。
【００３５】
そして、ＣＰＵ２２は、色特性解析処理の対象とされた各画像のデータと、その画像に関する色特性解析処理の結果とを対応付けて、記憶装置２４に記憶する（ステップＳ８）。
続いて、ＣＰＵ２２は、「ぼかし画像」、「ハイコントラスト画像」および「ポスタライズ画像」のうち、台紙用画像として印刷する画像の指定を受け付ける印刷画像指定画面を表示する（ステップＳ９）。
【００３６】
印刷画像指定画面においては、ＰＣ２０のユーザによって、１つまたは複数の台紙用画像が指定される。これら台紙用画像は、それぞれ貼り絵を制作する際の難易度や描画内容の自由度等が異なるため、初心者用であるか否か、自由な描画を許すものか否か等の目的に応じて台紙用画像を指定することができる。
そして、台紙用画像が指定されると、ＣＰＵ２２は、指定された台紙用画像の画像データを、原画像の画像データと併せて、印刷装置３０に出力する（ステップＳ１０）。
ステップＳ１０の後、ＣＰＵ２２は、台紙画像生成処理を終了する。
【００３７】
なお、ステップＳ１０において、台紙用画像の画像データおよび原画像の画像データが印刷装置３０に出力されると、印刷装置３０が、白紙の状態である貼り絵用台紙に、指定された台紙用画像および原画像をそれぞれ印刷し、貼り絵用台紙１０１と原画像サンプル１０３とが生成される。
そして、予め用意されている色、大きさおよび形のフェルト片が集められて貼付用フェルト片セット１０２とされ、貼り絵用台紙１０１および原画像サンプル１０３と同梱されることにより、貼り絵キット１００が生産される。
【００３８】
（貼り絵キット１００の使用手順）
次に、貼り絵キット１００の具体的使用手順について説明する。
貼り絵キット１００によって貼り絵を制作しようとする制作者は、貼り絵用台紙１０１に描かれた台紙用画像を見て、注目する箇所の色および同一色とみなせる領域の面積を判断し、その箇所に貼り付けるフェルト片の色および大きさを選択する。
このとき、フェルト片の形は円形であると共に、台紙用画像として描かれた絵もぼかし処理によって平滑化され、緩やかな輪郭の絵となっているため、円形のフェルト片を貼り付けるのに適したものとなっている。
【００３９】
また、ハイコントラスト画像の場合には、明暗をより強調しているため、貼付するフェルト片の色を切り替える境界位置も分かりやすいものとなっている。
さらに、ポスタライズ画像の場合には、色の階調が所定段階に離散化され、使用すべき色の判断も容易なものとなっている。
制作者は、貼り絵用台紙１０１の全面に渡って、注目する箇所の色および同一色とみなせる領域の面積を判断し、自らが選んだ色および大きさのフェルト片を貼り付ける作業を繰り返していく。
【００４０】
その結果、貼り絵用台紙１０１の全面に渡って、原画像の色および描かれた形状の細かさに適合するフェルト片の貼り絵を制作することができる。
以上のように、本実施形態に係る貼り絵用台紙印刷システム１は、貼り絵の元となる原画像に対し、細かい形状が描かれた部分を緩やかな輪郭に変換するぼかし処理、画像の明度変化を強調するハイコントラスト化処理、および、画像に含まれる各画素の色を所定の収束色に変換するポスタライズ処理を含む台紙画像生成処理を施し、それにより生じた台紙用画像を台紙に印刷して貼り絵用台紙とする。
【００４１】
そのため、原画像の特徴に適合する台紙用画像を生成することができると共に、フェルト片を容易に貼りつけることが可能な貼り絵用台紙とすることができる。
また、貼り絵用台紙と同梱される貼付用フェルト片セットのフェルト片は、その形状が、ぼかし処理を施された台紙用画像の各部分に表れる形状（緩やかな輪郭）と対応するものとなっているため、貼り絵の制作者は、フェルト片を貼付する作業（特に、フェルト片を貼付する位置の決定）を容易に行うことができる。
【００４２】
さらに、ハイコントラスト画像を台紙用画像に用いると、明度変化が強調されているため、貼り絵の制作者は、緩やかに類似色に変化している領域において、いずれの色のフェルト片を選択すれば良いかを容易に判断することができる。
また、ポスタライズ画像を台紙用画像に用いると、ポスタライズによって使用色が所定の収束色に収束されているため、貼り絵の制作者は、いずれの色のフェルト片を選択すれば良いかをさらに容易に判断することができる。
【００４３】
さらに、ポスタライズにおける収束色を、画像における使用色の頻度を反映させて決定すると、原画像の色調に適合する色で台紙用画像を描くことができ、出来上がった貼り絵が、サンプルとして制作者が参照した原画像とより近い雰囲気のものとなる。
このように、本発明によれば、簡単に趣向のある貼り絵を制作することができるようになる。
なお、本実施形態において例として挙げたように、貼付片を円形のフェルト片とすると、円形による柔らかい印象とフェルトの質感によって、温かみのある貼り絵を形成することができる。
【００４４】
（第２実施形態）
次に、本発明の第２実施形態について説明する。
本実施形態においては、原画像から台紙用画像を生成する際に、貼付するフェルト片の形（ここでは円形）に合わせて、フェルト片をより貼り付けやすい画像を生成することとしている。即ち、貼付するフェルト片の形に合わせた形状の集合として台紙用画像を形成することにより、貼り絵の制作者がフェルト片を貼付する際の判断をさらに容易なものとしている。
【００４５】
ここで、本実施形態における貼り絵用台紙印刷システムは、第１実施形態における貼り絵用台紙印刷システム１と、台紙用画像生成処理のステップＳ４（ぼかし処理）の内容が異なるものである。
したがって、以下、異なる部分である台紙用画像生成処理のぼかし処理および生成される貼り絵用台紙について説明する。
【００４６】
図９は、本実施形態に係るぼかし処理を示すフローチャートである。
図９に示すぼかし処理は、台紙用画像生成処理のサブフローとして呼び出される。
図９において、ぼかし処理が呼び出されると、ＣＰＵ２２は、処理対象の画像全体について、平坦度合いの抽出を行う（ステップＳ４０１）。
平坦度合いとは、画像における形状の変化の緩やかさを意味し、明るさおよび色彩が変化しない領域は平坦度合いが高く、明るさや色彩が細かく変化する領域は平坦度合いが高いものである。この平坦度合いを判定するために用いることが可能な指標としては、画像の明度変化あるいは色彩変化や、離散コサイン変換されている画像であれば高周波成分の大きさ等を用いることができる。
【００４７】
ステップＳ４０１の後、ＣＰＵ２２は、抽出した平坦度合いを基に、画像全体を複数の領域に区分する（ステップＳ４０２）。
即ち、平坦度合いが同様であるとみなせる領域を括り、画像全体を平坦度合いが高い領域、中程度の領域、低い領域に区分する。なお、平坦度合いのグループを、より多段階に分けることとしても良い。
【００４８】
次に、ＣＰＵ２２は、区分した平坦度合いのグループ毎に、平坦度合いに応じた半径の円形ぼかし処理を実行する（ステップＳ４０３）。
具体的には、ＣＰＵ２２は、平坦度合いが高い領域には大きい半径の円形ぼかし、平坦度合いが中程度の領域には中程度の半径の円形ぼかし、平坦度合いが低い領域には小さい半径の円形ぼかしを施す。
【００４９】
ここで、半径の具体的な値は、フェルト片の円形の大きさと、台紙用画像が貼り絵用台紙に印刷された際の円形ぼかしの大きさが対応するように選択される。
また、具体的な円形ぼかしの方法として、所定半径の円形領域に含まれる画素を平均化して、その平均値を円形領域内の各画素値とすること等が可能である。
ステップＳ４０３の後、ＣＰＵ２２は、台紙用画像生成処理に戻る。
なお、ステップＳ４０３によって取得された画像（以下、「円形ぼかし画像」という。）は、メモリ２３に保持される。
【００５０】
図１０は、円形ぼかし画像の一例を示す図である。
図１０において、原画像が円形ぼかし画像に変換されると、画像上の各部分における形状の細かさに応じた円形の集合として画像が描かれることとなる。また、この円形の大きさは、フェルト片の円形の大きさ（大、中、小）と対応している。
そのため、貼り絵の制作者は、台紙に貼付するフェルト片の大きさおよび貼付位置をより簡単に判断することができる。
【００５１】
以上のように、本実施形態に係る貼り絵用台紙印刷システム１は、原画像にぼかし処理を施す際に、円形の領域を対象としてぼかし（画素の平均化等）を行う。
したがって、円形ぼかし処理を施された台紙用画像は、貼付されるフェルト片の形状と対応した円形の輪郭が集合した形態に変換されるため、貼り絵の制作者は、台紙に貼付するフェルト片の大きさおよび貼付位置をより簡単に判断することができる。
【００５２】
また、本実施形態におけるぼかし処理では、画像の各部分における平坦度合いに応じて、ぼかしの程度（ここでは円形ぼかしの半径）を変えることとしているため、台紙用画像において、原画像に含まれている細かい形状等の特徴を適確に反映させることができる。
そのため、フェルト片を貼付して制作した貼り絵においても、原画像の特徴を捉えた趣向のある貼り絵を制作することができる。
即ち、本実施形態に係る発明によれば、簡単に趣向のある貼り絵を制作することが可能となる。
【００５３】
なお、本実施形態においては、画像の平坦度合いに応じて、円形ぼかしの半径を変化させる例について説明したが、円形ぼかし以外の場合においても、画像の平坦度合いに応じてぼかしの程度を変更することが可能である。
例えば、通常のぼかし（ガウスぼかし等）を行う場合にも、画像の平坦度合いに応じて、フィルタリングを行う範囲（平坦度合いが低い部分は３画素×３画素、高い部分には５画素×５画素とする等）を変化させることができ、これにより、原画像の特徴を捉えた台紙用画像を生成することができる。
【図面の簡単な説明】
【００５４】
【図１】第１実施形態に係る貼り絵用台紙印刷システム１の全体構成を示す図である。
【図２】貼り絵用台紙印刷システム１によって印刷された台紙を含む貼り絵キット１００の構成を示す図である。
【図３】ＰＣ２０の機能構成を示すブロック図である。
【図４】ＰＣ２０において実行される台紙画像生成処理を示すフローチャートである。
【図５】原画像の一例を示す図である。
【図６】ぼかし画像の一例を示す図である。
【図７】ハイコントラスト画像の一例を示す図である。
【図８】ポスタライズ画像の一例を示す図である。
【図９】第２実施形態に係るぼかし処理を示すフローチャートである。
【図１０】円形ぼかし画像の一例を示す図である。
【符号の説明】
【００５５】
１  貼り絵用台紙印刷システム、１０  画像入力装置、２０  ＰＣ、２１  入力装置、２２  ＣＰＵ、２３  メモリ、２４  記憶装置、２５  ディスプレイ、２６  通信インターフェース、３０  印刷装置、１００  貼り絵キット、１０１  貼り絵用台紙、１０２  貼付用フェルト片セット、１０３  原画像サンプル
【図１】
2009006602.tif 000003
【図３】
2009006602.tif 000004
【図４】
2009006602.tif 000005
【図９】
2009006602.tif 000006
【図２】
2009006602.tif 000007
【図５】
2009006602.tif 000008
【図６】
2009006602.tif 000009
【図７】
2009006602.tif 000010
【図８】
2009006602.tif 000011
【図１０】
2009006602.tif 000012